(57)【要約】【課題】  メニュー再生制御方法及び制御装置を提供する。【解決手段】  メニューで提供する一つ以上のボタンの選択数値のうち最大数値を確認するステップと、ユーザ入力を通じて数字キーの数値を受信するステップと、入力された数値の桁数を最大数値の桁数と比較するステップと、比較結果、入力された数値の桁数と最大数値の桁数とが同じ場合に、入力された数値に対応する選択数値を持つボタンを選択状態に設定するステップと、を含むことを特徴とするメニュー再生制御方法。これにより、ユーザとのインタラクションのために、ユーザインターフェースに提供されるメニューでボタン選択時に不要な待機時間なしに直ちにボタン選択動作が行われてユーザの便宜性を増大させる。【選択図】      図２
2007026443.tif 000002
【特許請求の範囲】
【請求項１】
ユーザとのインタラクションのためにユーザインターフェースに提供されるメニューの再生制御方法において、
メニューで提供する一つ以上のボタンの選択数値のうち最大数値を確認するステップと、
ユーザ入力を通じて数字キーの数値を受信するステップと、
前記入力された数値の桁数を前記最大数値の桁数と比較するステップと、
比較結果、入力された数値の桁数と前記最大数値の桁数とが同じ場合に、前記入力された数値に対応する選択数値を持つボタンを選択状態に設定するステップとを含むことを特徴とするメニュー再生制御方法。
【請求項２】
前記比較結果、入力された数値の桁数と前記最大数値の桁数とが同一でない場合に、前記最大数値を１０で割った値と前記入力された数値とを比較するステップと、
前記比較結果、前記最大数値を１０で割った値が前記入力された数値より小さな場合に、前記入力された数値に対応する選択数値を持つボタンを選択状態と設定するステップとをさらに含むことを特徴とする請求項１に記載のメニュー再生制御方法。
【請求項３】
前記メニューは、指定された時間にスクリーン上にビジュアルディスプレイのために活性化され、ボタンは、ユーザ選択のために前記スクリーン上にメニューに含まれることを特徴とする請求項１に記載の方法。
【請求項４】
前記入力数値に対応する選択数値を持つボタンは、ユーザがキーの入力時に要求される待機時間を短縮するために設定され、メニューを通じて所望のボタンが選択されるまで待機することを特徴とする請求項１に記載の方法。
【請求項５】
ユーザとのインタラクションのためにユーザインターフェースに提供されるメニューの再生制御装置において、
ユーザとのインタラクションを可能にするために設置され、前記メニューのボタンのビジュアルディスプレイを含むスクリーン上のメニューを再生するユーザインターフェースと、
メニューで提供する一つ以上のボタンの選択数値のうち最大数値を確認し、ユーザ入力を通じて数字キーの数値を受信し、前記入力された数値の桁数を前記最大数値の桁数と比較し、比較結果、入力された数値の桁数と前記最大数値の桁数とが同じ場合に、前記入力された数値に対応する選択数値を持つボタンを選択状態と設定するボタン選択処理部とを備えることを特徴とするメニュー再生制御装置。
【請求項６】
前記ボタン選択処理部は、
前記比較結果、入力された数値の桁数と前記最大数値の桁数とが同一でない場合に、前記最大数値を１０で割った値と前記入力された数値とを比較し、前記比較結果、前記最大数値を１０で割った値が前記入力された数値より小さな場合に、前記入力された数値に対応する選択数値を持つボタンを選択状態と設定することを特徴とする請求項５に記載のメニュー再生制御装置。
【請求項７】
ユーザとのインタラクションのために、ユーザインターフェースに提供されるメニューで提供するボタンを選択する方法を実行するためのプログラムが記録されたコンピュータで読み取り可能な記録媒体において、前記ボタン選択方法は、
メニューで提供する一つ以上のボタンの選択数値のうち最大数値を確認するステップと、
ユーザ入力を通じて数字キーの数値を受信するステップと、
前記入力された数値の桁数を前記最大数値の桁数と比較するステップと、
比較結果、入力された数値の桁数と前記最大数値の桁数とが同じ場合に、前記入力された数値に対応する選択数値を持つボタンを選択状態と設定するステップとを含むことを特徴とする記録媒体。
【請求項８】
前記比較結果、入力された数値の桁数と前記最大数値の桁数とが同一でない場合に、前記最大数値を１０で割った値と前記入力された数値とを比較するステップと、
前記比較結果、前記最大数値を１０で割った値が前記入力された数値より小さな場合に、前記入力された数値に対応する選択数値を持つボタンを選択状態と設定するステップとをさらに含むことを特徴とする請求項７に記載の記録媒体。
【請求項９】
前記メニューは、指定された時間にスクリーン上にビジュアルディスプレイのために活性化され、前記ボタンは、ユーザ選択のために前記スクリーン上のメニューに含まれることを特徴とする請求項５に記載の装置。
【請求項１０】
前記入力数値に対応する選択数値を持つボタンは、ユーザがキーの入力時に要求される待機時間を短縮するために設定され、メニューを通じて所望のボタンが選択されるまで待機することを特徴とする請求項５に記載の装置。
【請求項１１】
前記メニューは、指定された時間にスクリーン上にビジュアルディスプレイのために活性化され、前記ボタンは、ユーザ選択のために前記スクリーン上のメニューに含まれることを特徴とする請求項７に記載のコンピュータで読み取り可能な記録媒体。
【請求項１２】
前記入力数値に対応する選択数値を持つボタンは、ユーザがキーの入力時に要求される待機時間を短縮するために設定され、メニューを通じて所望のボタンが選択されるまで待機することを特徴とする請求項７に記載の記録媒体。
【請求項１３】
ユーザとのインタラクションを可能にするために設置され、前記メニューのボタンのビジュアルディスプレイを含むスクリーン上のメニューを再生するユーザインターフェースと、
前記メニューを活性化させ、前記メニューのボタンをディスプレイするために構成されたメニュー制御器とを備え、
前記メニュー制御器は、
前記メニューの一つ以上のボタンの選択数値の最大数値を受信し、入力数値の桁数と最大数値の桁数とを比較し、入力数値の桁数と最大数値の桁数とがマッチすれば、前記入力数値に対応する選択数値を持つボタンを選択状態と設定するボタン選択処理部を備えることを特徴とする装置。
【請求項１４】
前記ボタン選択処理部は、
前記入力数値の桁数と前記最大数値の桁数とがマッチしていない場合に、前記最大数値を１０で割った値と前記入力された数値とを比較し、
前記比較結果、前記最大数値を１０で割った値が前記入力数値より小さな場合に、前記入力数値に対応する選択数値を持つボタンを選択状態と設定することを特徴とする請求項１３に記載の装置。
【請求項１５】
前記入力数値に対応する選択数値を持つボタンは、ユーザがキーの入力時に要求される待機時間を短縮するために設定され、メニューを通じて所望のボタンが選択されるまで待機することを特徴とする請求項１３に記載の装置。
【発明の詳細な説明】
【技術分野】
【０００１】
本発明は、ユーザとのインタラクションのためにユーザインターフェースに提供されるメニューの再生制御方法及びメニュー再生制御装置に関する。
【背景技術】
【０００２】
最近になって、ユーザは、テレビ以外に多様なデジタルメディア装置、例えば、ノート型パソコン、携帯電話、デジタルレコーダ、個人携帯通信（ＰＤＡ）、デジタルカメラなどのイメージ装置に頻繁に接する。ほとんどのデジタルメディア装置では、ユーザとのインタラクションのためにユーザインターフェースを提供し、ユーザインターフェース上にユーザとのインタラクションのためのボタンを備えて、ユーザがボタンを選択すれば、そのボタンに対応する機能を行う方式でインタラクションが提供される。
【０００３】
図１は、従来技術によってメニューでボタン選択方法を説明するための参考図である。図１を参照するに、ユーザインターフェース１００の一部にはビデオデータ１１０が提供され、またユーザインターフェース１００の一部には、ユーザとのインタラクションを可能にするメニュー１２０が提供される。メニュー１２０には、ユーザが所定の機能を選択できるボタンが設けられ、図１には、ボタン１  １２１、ボタン２  １２２、ボタン３  １２３が表示されている。
【０００４】
ユーザがメニューのボタン情報のうち、数字キー入力によりボタンを選択するための情報である選択数値として使用できる数字が０〜９９９であると仮定する場合、一般的にユーザが数字キーを入力してボタンを選択する場合、ユーザが３桁の数字を入力するか、１桁または２桁の数字を入力した後、一定時間をキー入力なしに待機した後に入力された数値と一致する選択数値を持つボタンを検索して、一致するボタンがある場合にそのボタンを選択状態と設定する。
【０００５】
図１に図示されたメニュー１２０で、ボタン１、ボタン２、ボタン３に割り当てられた選択数値がそれぞれ“１”、“２”、“３”といずれも一桁と指定されていると仮定する。この場合、ユーザが数字キー入力によりボタンを選択するならば、選択数値として“１”が指定されているボタンを選択するために、ユーザは“０”、“０”、“１”を入力するか、または“１”を入力した後に一定時間をキー入力なしに待機せねばならない。いずれの場合にも、ユーザがキーを入力するか、所望のボタンが選択されるまで待つ待機時間が不回避である。
【特許文献１】米国特許第６７０７５０８号明細書
【特許文献２】韓国特開２００２−０７６５９７号公報
【発明の開示】
【発明が解決しようとする課題】
【０００６】
本発明は、前記のような問題点を解決して、ユーザとのインタラクションのために、ユーザインターフェースに提供されるメニューでのボタン選択時、不要な待機時間なしに直ちにボタン選択動作が行われてユーザの便宜性を増大させるメニュー再生制御方法及びメニュー再生制御装置を提供することを目的とする。
【課題を解決するための手段】
【０００７】
前記のような課題を解決するための本発明の一特徴は、ユーザとのインタラクションのためにユーザインターフェースに提供されるメニューの再生制御方法において、メニューで提供する一つ以上のボタンの選択数値のうち最大数値を確認するステップと、ユーザ入力を通じて数字キーの数値を受信するステップと、前記入力された数値の桁数を前記最大数値の桁数と比較するステップと、比較結果、入力された数値の桁数と前記最大数値の桁数とが同じ場合に、前記入力された数値に対応する選択数値を持つボタンを選択状態に設定するステップとを含むことである。
【０００８】
前記比較結果、入力された数値の桁数と前記最大数値の桁数とが同一でない場合に、前記最大数値を１０で割った値と前記入力された数値とを比較するステップと、前記比較結果、前記最大数値を１０で割った値が前記入力された数値より小さな場合に、前記入力された数値に対応する選択数値を持つボタンを選択状態と設定するステップとをさらに含むことが望ましい。
【０００９】
本発明の他の特徴は、ユーザとのインタラクションのためにユーザインターフェースに提供されるメニューの再生制御装置において、ユーザとのインタラクションを可能にするために設置され、前記メニューのボタンのビジュアルディスプレイを含むスクリーン上のメニューを再生するユーザインターフェースと、メニューで提供する一つ以上のボタンの選択数値のうち最大数値を確認し、ユーザ入力を通じて数字キーの数値を受信し、前記入力された数値の桁数を前記最大数値の桁数と比較し、比較結果、入力された数値の桁数と前記最大数値の桁数とが同じ場合に、前記入力された数値に対応する選択数値を持つボタンを選択状態と設定するボタン選択処理部とを備えることである。
【００１０】
前記ボタン選択処理部は、前記比較結果、入力された数値の桁数と前記最大数値の桁数とが同一でない場合に、前記最大数値を１０で割った値と前記入力された数値とを比較し、前記比較結果、前記最大数値を１０で割った値が前記入力された数値より小さな場合に、前記入力された数値に対応する選択数値を持つボタンを選択状態と設定することが望ましい。
【００１１】
本発明のさらに他の特徴は、ユーザとのインタラクションのために、ユーザインターフェースに提供されるメニューで提供するボタンを選択する方法を実行するためのプログラムが記録されたコンピュータで読み取り可能な記録媒体において、前記ボタン選択方法は、メニューで提供する一つ以上のボタンの選択数値のうち最大数値を確認するステップと、ユーザ入力を通じて数字キーの数値を受信するステップと、前記入力された数値の桁数を前記最大数値の桁数と比較するステップと、比較結果、入力された数値の桁数と前記最大数値の桁数とが同じ場合に、前記入力された数値に対応する選択数値を持つボタンを選択状態と設定するステップとを含むことである。
【発明の効果】
【００１２】
本発明によれば、ユーザとのインタラクションのために、ユーザインターフェースに提供されるメニューでのボタン選択時に、不要な待機時間なしに直ちにボタン選択動作が行われてユーザの便宜性を増大させる。
【発明を実施するための最良の形態】
【００１３】
以下、添付された図面を参照して本発明を詳細に説明する。
【００１４】
図２は、本発明による動画ストリームを再生するために再生制御装置の概略的なブロック図を示す。図２を参照するに、再生制御装置２００は、映像再生制御部２１０と、メニュー再生制御部２２０と、ブレンダー２３０とを備える。
【００１５】
再生制御装置２００は、読み出し部（図示せず）を通じて記録媒体から動画ストリームをロードした後、動画ストリームからビデオデータとオーディオデータとメニューデータとを分離して、ビデオデータは映像再生制御部２１０に伝送し、メニューデータはメニュー再生制御部２２０に伝送する。
【００１６】
動画ストリームの構成を簡単に紹介する。
【００１７】
図３は、映像再生に使われる動画ストリームの構成の一例である。図３を参照するに、映像再生に使われる動画ストリーム３００には、ビデオ出力のためのビデオデータ３１０、オーディオ出力のためのオーディオデータ３２０、ユーザにメニューを提供するためのメニューデータ３３０などが含まれている。前記メニューデータ３３０には、画面上に出力されるボタンのイメージ情報３３１、画面上に出力されるメニューを構成するためのメニュー構成情報３３２が含まれている。前記メニュー構成情報３３２には、複数のボタン情報と最初のメニュー活性化時点に選択状態と指定されるボタンの情報とを含む基本選択ボタン情報が含まれており、各ボタンのボタン構成情報３３３は、ボタンのイメージ情報３３４、ユーザから数字キー入力を通じてボタンを選択可能にするための数字選択情報３３６、そして各ボタンが実行された時に行われる命令語情報３３５などが含まれている。このようなメニューデータは、動画ストリームにマルチプレクシングされるか、または別途のファイルに独立的に記録されてもよい。
【００１８】
また、図２を参照するに、映像再生制御部２１０は、受信されたビデオデータをデコードしてブレンダー２３０に出力する。
【００１９】
メニュー再生制御部２２０は、メニューデータを受信してデコードした後、ブレンダー２３０に出力する。メニュー再生制御部２２０は、データ処理部２２１、イメージバッファ２２２、メニュー制御部２２３を備える。
【００２０】
データ処理部２２１は、メニューデータを受信してデコードし、デコードされたボタンイメージをイメージバッファ２２２に出力し、デコードされたメニュー構成情報はメニュー制御部２２３に出力する。
【００２１】
メニュー制御部２２３は、入力されたメニュー構成情報を利用して指定された時間にメニューを活性化させ、メニュー構成情報に含まれているボタンを画面に出力して、基本選択ボタン情報が指示しているボタンを選択状態と設定した後、ユーザにより入力されたキーによってメニューの制御を行う。ユーザは上／下／左／右キーを入力してメニューボタンの間を移動でき、メニューの各ボタンに数字キーが割り当てられている場合には、ユーザは上／下／左／右キー以外に０〜９の数字キーを入力することによって、特定ボタンを選択できる。また、ユーザは、確認キーを入力して、現在選択状態であるボタンのＣｏｍｍａｎｄ  Ｌｉｓｔに含まれている命令語を実行することもできる。
【００２２】
メニュー制御部２２３は、本発明によってメニューに提供されるボタン選択動作を効果的に処理するためのボタン選択処理部２２４を備える。前述したように、ユーザがキーを入力して所望のボタンが選択されるまで待つ待機時間を短縮するために、ボタン選択処理部２２４は、メニュー構成情報が最初に活性化される時点で画面に出力されるあらゆるボタンの選択数値を検索して、最も大きい選択数値を把握した後、ユーザが数字キーを入力した場合、入力された数値と最大ボタン選択数値とを比較した後、入力された数値がボタン選択数値と比較可能な状態ならば、直ちに入力された数値と現在出力されたあらゆるボタンの選択数値とを比較する。
【００２３】
前記入力された数値がボタン選択数値と比較可能な状態であるというのは、１）入力された数値が最大ボタン選択数値と同じ桁の数である場合であるか、または、２）入力された数値がそれ以上入力されれば、最大ボタン選択数値を超える数値になる場合をいう。すなわち、１）の場合は、最大ボタン選択数値が“１２３”である時、入力された数値が３桁値である場合であり、２）の場合は、（最大ボタン選択数値／１０）が入力された値より小さな場合である。具体的な動作は後述する。
【００２４】
ブレンダー２３０は、映像再生制御部２１０により生成されたビデオ画面上にメニューの出力開始時間になれば、活性化されることによって提供されたメニュー画面をブレンドして出力する。
【００２５】
図４は、メニューデータにより画面上にメニュー４００が構成される一例を示す。図４を参照するに、メニュー制御部に保存されているメニュー構成情報が活性化されれば、メニュー制御部は、メニュー構成情報に含まれているボタン１、ボタン２のボタン構成情報を利用して、ボタン１は座標（ｘ，ｙ１）にイメージ“ボタン１”を出力し、ボタン２は座標（ｘ，ｙ２）にイメージ“ボタン２”を出力した後、図３に示したようなメニュー構成情報３３２に含まれている基本選択ボタン情報により、ボタン１を選択状態と指定する。以後、ユーザは、方向キーまたは数字キーを入力して選択状態であるボタンを変更でき、確認キーを入力して選択状態であるボタンの命令語を実行できる。
【００２６】
図５は、本発明による方法により数字キーを入力してボタンを選択する一例を示す。図５を参照するに、ボタン選択処理部２２４は、図５に図示されたメニュー５００が活性化される時点で各ボタンの選択数値を検索して、最大選択数値が“３”であると判断した後、画面上にボタン１、ボタン２、ボタン３を出力する。以後、ユーザが数字キー“１”を入力すれば、ボタン選択処理部２２４は、メニュー活性化時に決定された選択数値の最大桁数と入力された数値の桁数とを比較して、選択数値の最大桁数と同一であるということを判断して、次の数字キー入力を待たずに直ちに各ボタンの選択数値と比較して、入力された数値“１”と同じ選択数値を持つボタン１を選択状態と指定する。
【００２７】
前記数字キー入力によるボタン選択方法は、数字キー入力によりボタンを選択するために参照される選択数値として２桁数以上の値が許容されるメニュー構成情報を使用する記録媒体で、画面に出力されたあらゆるボタンが１桁の選択数値と指定された場合、ユーザが数字キーを入力してボタンを選択するために不要な数字を入力するか、数字入力後に一定時間を待機せねばならない不便さを低減できる。
【００２８】
図６は、本発明によるメニューでボタン選択方法の過程を示すフローチャートである。図６を参照するに、ボタン選択処理部２２４は、最初のメニュー活性化が行われる時点で（６０１）、メニュー画面に出力されるあらゆるボタンの選択数値を検索して最大値を持つ選択数値の桁数を判別した後（６０２）、メニュー画面を画面上に出力し（６０３）、ユーザからのキー入力を待機する。
【００２９】
次いで、ユーザ入力を通じて数字キーが入力された場合に（６０４）、ボタン選択処理部２２４は、入力された数字キーの数値を記録する（６０５）。
【００３０】
次いで、ボタン選択処理部２２４は、選択数値の最大値と入力された数値とを比較して、最大値の桁数と入力された数値の桁数とが同じかどうかを判断する（６０６）。桁数が同じ場合には、それ以上ユーザ入力を待つ必要なく直ちに入力された数値と一致する選択数値を持つボタンがあるかどうかを判断し（６０８）、入力された数値と一致する選択数値を持つボタンがある場合には、その入力された数値に対応するボタンを選択状態に変更（６０９）し、入力された数字を除去する（６１０）。
【００３１】
ボタン選択処理部２２４は、選択数値の最大値と入力された数値の桁数とが異なる場合には、（最大値／１０）の値が入力された数値より小さいかどうかを判断する（６０７）。（最大値／１０）の値が入力された数値より小さい場合には、それ以上ユーザ入力を受け入れる場合に最大値を超える数値となるので、それ以上ユーザ入力を受け入れることは意味がないので、直ちに入力された数字と一致する選択数値を持つボタンがあるかどうかを判断する（６０８）。
【００３２】
例えば、選択数値の最大範囲が９９９であり、メニューに提供されたボタンの選択数値の最大値が“３２１”である場合に、もし、入力値が３桁の数ならば、ステップ６０６からステップ６０８に進行し、そうでない場合ならば、ステップ６０７に進行する。
【００３３】
ステップ６０７で、最大値“３２１”を１０で割った値“３２”と入力値とを比較する。もし、入力値が“３２”より大きい場合には、追加で数字キーを入力される場合には最大値より大きくなって意味がなくなるので、直ちに選択数値と比較するためにステップ６０８に進行し、入力値が“３２”と同じか、またはそれより小さい場合には、追加で数字キーを入力されて選択数値と比較するための入力値を構成できるので、追加数値の入力のためにステップ６０４に進行する。
【００３４】
本発明で説明する方法は、前記動画ストリームに含まれたメニューについての例のみに限定されず、映像出力装置及び映像再生装置などに汎用的に使われうる。
【００３５】
図７は、本発明によるボタン選択方法を適用できる一例として、ＴＶチャンネル選択のためのリモコン７００を示す。
【００３６】
ＴＶシステムのチャンネルを選択する方法で、ＴＶシステムに登録されているチャンネルを選択するために数字キーを入力する場合にも適用できる。すなわち、ＴＶシステムに“１”〜“２３”までのチャンネルが登録されており、ユーザがリモコンの数字キーを入力してチャンネルを選択する場合、二桁数を入力した場合には直ちに登録されたチャンネルと比較し、一桁数を入力した場合には登録されたチャンネルのうち、（最大値／１０）の値と入力された一桁値とを比較して入力値が大きい場合には直ちに登録されたチャンネルと比較し、入力値が小さいか、または同じ場合には二番目の数字入力を待機する。
【００３７】
図８は、本発明によるボタン選択方法を適用できる一例として、デジタルカメラ８００を示す。
【００３８】
また、本発明のボタン選択方法は、デジタルカメラまたはその他の装置で複数のサムネールイメージまたは複数のデータを選択するために数字キー入力を使用する場合にも、前記と同じ方法で使われうる。すなわち、サムネールイメージまたはデータが２３個があり、各サムネールまたはデータは順番に１〜２３までの数字キーを入力して選択できる場合、二桁数が入力された場合には直ちに入力値と各データに割り当てられた数値とを比較し、一桁数が入力された場合には（２３／１０）＝２と入力された値とを比較して、入力値が大きい場合には直ちに入力値と各データに割り当てられた数値とを比較することができる。
【００３９】
前記羅列した例で分かるように、本発明は、数字キーを利用してメニュー上の任意の項目を選択する場合について汎用的に使われうる。
【００４０】
以上説明したようなメニューでのボタン選択方法は、またコンピュータで読み取り可能な記録媒体にコンピュータで読み取り可能なコードとして具現することが可能である。コンピュータで読み取り可能な記録媒体は、コンピュータシステムによって読み取られるデータが保存されるあらゆる種類の記録装置を含む。コンピュータで読み取り可能な記録媒体の例には、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行される。そして、前記メニューでのボタン選択方法を具現するための機能的なプログラム、コード及びコードセグメントは、本発明が属する技術分野のプログラマーらにより容易に推論できるであろう。
【００４１】
これまで本発明についてその望ましい実施形態を中心に説明した。当業者ならば本発明が本発明の本質的な特性から逸脱しない範囲で変形された形態に具現されるということが理解できるであろう。したがって、開示された実施形態は、限定的な観点ではなく説明的な観点で考慮されねばならない。本発明の範囲は、前述した説明ではなく特許請求の範囲に現れており、それと同等な範囲内にあるあらゆる差異点は本発明に含まれていると解釈されねばならない。
【産業上の利用可能性】
【００４２】
本発明は、ユーザとのインタラクションのためにユーザインターフェースを提供するデジタルマルチメディア装置、例えば、ノート型パソコン、携帯電話、デジタルレコーダ、個人携帯通信（ＰＤＡ）、デジタルカメラなどのイメージ装置に利用可能である。
【図面の簡単な説明】
【００４３】
【図１】従来技術によってメニューでボタン選択方法を説明するための参考図である。
【図２】本発明による再生制御装置の概略的なブロック図である。
【図３】映像再生に使われる動画ストリームの構成の一例を示す図である。
【図４】メニューデータにより画面上にメニューが構成される一例を示す図である。
【図５】本発明によるメニューでのボタン選択方法を説明するための参考図である。
【図６】本発明によるメニューでのボタン選択方法の過程を示すフローチャートである。
【図７】本発明によるボタン選択方法を適用できる一例として、ＴＶチャンネル選択のためのリモコンを示す図である。
【図８】本発明によるボタン選択方法を適用できる一例として、デジタルカメラを示す図である。
【符号の説明】
【００４４】
２００  再生制御装置
２１０  映像再生制御部
２２０  メニュー再生制御部
２２１  データ処理部
２２２  イメージバッファ
２２３  メニュー制御部
２２４  ボタン選択処理部
２３０  ブレンダー
【図１】
2007026443.tif 000003
【図２】
2007026443.tif 000004
【図３】
2007026443.tif 000005
【図４】
2007026443.tif 000006
【図５】
2007026443.tif 000007
【図６】
2007026443.tif 000008
【図７】
2007026443.tif 000009
【図８】
2007026443.tif 000010